(57)【特許請求の範囲】
【請求項１】
ディスクカートリッジに内蔵されたディスク状の記録媒体を駆動し、情報の書き込み・読み取りを行うものであって、
シャーシフレームと、
装置外部より、第１の方向、および第１の方向とは逆の第２の方向のいずれにも回動操作可能であると共に、前記シャーシフレームに形成された支持孔に摺動・回動自在に挿入される挿入部と、前記支持孔より大きい径を有する閉塞部とを有する操作部材と、
回動部材を備え、該回動部材が回動駆動されることにより前記ディスクドライブ装置の所定の機構を作動させる、前記シャーシフレーム内部に設けられた駆動機構と、
前記操作部材が第１の方向に回動されたときにのみ前記回動部材と前記操作部材とを係合させる係合手段とを有し、
前記係合手段は、前記回動部材と前記操作部材の相対する部位に形成された係合可能なねじ部であり、前記操作部材が前記第１の方向に回動されたときには、前記操作部材と前記回動部材とを結合して第１の方向の回転駆動力を前記操作部材から前記回動部材へ伝達させ、前記回動部材が第１の方向に回転されることにより、前記駆動機構が前記所定の機構を作動させると共に、前記操作部材が前記第２の方向に回動された時には、前記操作部材と前記回動部材との結合を解除して、第２の方向の回転駆動力が前記操作部材から前記回動部材へ伝達されるのを防ぐと共に、
前記支持孔は前記シャーシフレーム前面に設けられ、前記シャーシフレーム前面には所定の厚みを持ち、前記操作孔に対応した位置に開口部を有するフロントベゼルが装着され、前記開口部は前記閉塞部より大きい径を有する大径開口部と前記閉塞部より小さい径を有する小径開口部とを有し、前記操作部材は、前記閉塞部が前記小径開口部と前記シャーシフレーム間の距離に対応する範囲で移動可能であること、
を特徴とするディスクドライブ装置。
【請求項２】
前記ディスクドライブ装置は、前記操作部材を前記回動部材から離れる方向に付勢する付勢部材を有することを特徴とする、請求項１に記載のディスクドライブ装置。
【請求項３】
前記操作部材は、前記支持孔に摺動・回動自在に挿入される挿入部と、前記支持孔より大きい径を有する閉塞部とを有することを特徴とする、請求項２に記載のディスクドライブ装置。
【請求項４】
前記所定の機構は、装填されたディスクカートリッジを手動排出させる排出機構であることを特徴とする、請求項１から３のいずれかに記載のディスクドライブ装置。
【発明の詳細な説明】
【０００１】
【産業上の利用分野】
本発明は、情報記録媒体を内蔵するディスクカートリッジを駆動するためのディスクドライブ装置に関する。
【０００２】
【従来の技術】
従来より、光ディスク・磁気ディスク等を記録媒体として情報の記録・再生を行う装置が知られている。このような情報記録・再生装置においては、前記のようなディスク状の記録媒体は、塵や埃の付着を避けるため、通常ディスクカートリッジに収納されている。情報記録・再生装置はディスクドライブ装置を有しており、情報の記録・再生時には、ディスクカートリッジがディスクドライブ装置に挿入される。ディスクドライブ装置は、ディスクカートリッジに収納されたディスクを回転させ、光ピックアップ、磁気ピックアップ等により情報の書込みあるいは読取りを行う。
【０００３】
ディスクドライブ装置は、装置に挿入されたディスクカートリッジを装置内部の、情報の書込み・読取りが行われるロード位置に装填し、また、ロード位置にあるディスクカートリッジを手で引き出せる位置まで排出させる、ローディング機構を備えている。
ローディング機構、特に、ディスクカートリッジを排出するための機構がモータによって作動する場合、故障や停電などによりモータが作動しなくなると、ディスクカートリッジが取り出せなくなる。このため、モータによってディスクカートリッジを排出させるディスクドライブ装置のなかには、手動でディスクカートリッジを排出させるための回動操作部材が設けられているものがある。この操作部材は、ディスクドライブ装置内部に設けられ、通常は使用することはないが、停電・故障時には、装置外壁に形成された操作孔から工具を挿入して操作部材を所定方
向に回動操作してディスクカートリッジを取り出す構成となっている。
【０００４】
【発明が解決しようとする課題】
しかし、操作部材はディスクカートリッジの取り出し方向と挿入方向の両方に回転できるため、ディスクカートリッジの取り出し時に誤って挿入方向に回転すると、ローディング機構の部品を破損する可能性がある。
【０００５】
【発明の目的】
本発明の目的は、簡単な構成で、非常時にディスクカートリッジを手動で取り出す際に誤操作によるローディング機構の部品の破損が防止できる手動排出機構を有するディスクドライブ装置を提供することである。
【０００６】
【課題を解決するための手段】
前記の課題を解決するため、本発明のディスクドライブ装置は、ディスクカートリッジに内蔵されたディスク状の記録媒体を駆動し、情報の書き込み・読み取りを行うものであって、シャーシフレームと、装置外部より、第１の方向、および第１の方向とは逆の第２の方向のいずれにも回動操作可能であると共に、前記シャーシフレームに形成された支持孔に摺動・回動自在に挿入される挿入部と、前記支持孔より大きい径を有する閉塞部とを有する操作部材と、回動部材を備え、該回動部材が回動駆動されることにより前記ディスクドライブ装置の所定の機構を作動させる、前記シャーシフレーム内部に設けられた駆動機構と、前記操作部材が第１の方向に回動されたときにのみ前記回動部材と前記操作部材とを係合させる係合手段とを有し、前記係合手段は、前記回動部材と前記操作部材の相対する部位に形成された係合可能なねじ部であり、前記操作部材が前記第１の方向に回動されたときには、前記操作部材と前記回動部材とを結合して第１の方向の回転駆動力を前記操作部材から前記回動部材へ伝達させ、前記回動部材が第１の方向に回転されることにより、前記駆動機構が前記所定の機構を作動させると共に、前記操作部材が前記第２の方向に回動された時には、前記操作部材と前記回動部材との結合を解除して、第２の方向の回転駆動力が前記操作部材から前記回動部材へ伝達されるのを防ぐと共に、前記支持孔は前記シャーシフレーム前面に設けられ、前記シャーシフレーム前面には所定の厚みを持ち、前記操作孔に対応した位置に開口部を有するフロントベゼルが装着され、前記開口部は前記閉塞部より大きい径を有する大径開口部と前記閉塞部より小さい径を有する小径開口部とを有し、前記操作部材は、前記閉塞部が前記小径開口部と前記シャーシフレーム間の距離に対応する範囲で移動可能であること、を特徴とする。さらに、前記ディスクドライブ装置には、前記操作部材を前記回動部材から離れる方向に付勢する付勢部材を設けることが可能である。装置内に装填されたディスクカートリッジを手動排出させる排出機構を前記所定の機構として採用することが可能である。
【０００７】
【実施例】
以下、本発明の実施例を図面に基づいて説明する。
図１は本発明の実施例のディスクドライブ装置Ａを示す斜視図である。
ディスクドライブ装置Ａは、情報記録・再生装置において、カートリッジに収納されたディスク状の記録媒体に対し、情報の書込・読取りを行うものである。ディスクドライブ装置Ａは、シャーシフレーム１と、シャーシフレーム前面１ａにねじ等により固定されるフロントベゼル２を有する。シャーシフレーム前面１ａにはカートリッジを挿入するための挿入口４が形成されており、挿入口４には、装置内への塵・埃の侵入を防ぐためのシャッター７が取り付けられている。シャーシフレーム前面１ａには、さらに、装置に挿入されたディスクカートリッジを排出させるためのイジェクトスイッチ６が設けられている。また、ディスクドライブ装置Ａ内部には、停電時などに手動でディスクを排出させるための手動排出機構（後述）が設けられ、シャーシフレーム前面１ａに手動排出機構を操作するためのイジェクトスクリュー３が回動可能に挿入されている。後述するように、このイジェクトスクリュー３は、装置外部からの操作を手動排出機構に伝達する動力伝達手段として機能する。シャーシフレーム前面１ａに取り付けられるフロントベゼル２には、挿入口４に対応した位置に、ディスクカートリッジを挿入する挿入口５が設けられている。またイジェクトスクリュー３およびイジェクトスイッチ６に対応した位置にもそれぞれ開口８、９が形成されている。開口８は、図４に示すように、イジェクトスクリュー３の頭部３ｂより径の大きい大径部２ａと、蓋部材３の頭部３ｂより径の小さい小径部２ｂを有している。イジェクトスクリュー３は、操作孔１１へ挿入された状態のままで、軸方向へ移動可能に、シャーシフレーム前面１ａとフロントベゼル２（小径部２ｂ）との間で支持されている。
【０００８】
ディスクカートリッジの先端でシャッター７を押し開きつつディスクカートリッジをディスクドライブ装置Ａに挿入すると、後述するローディング機構により、ディスクカートリッジはロード位置まで移動される。ディスクカートリッジがロード位置に装着されると、カートリッジ内部の記録媒体に対し、情報の書込・読み取りが可能となる。
イジェクトスイッチ６を押すことにより、ロード位置にあるディスクカートリッジが、ローディング機構により、手で取りだし可能な排出位置まで移動される。
【０００９】
図２はディスクドライブ装置１Ａのローディング機構の概略を示す分解斜視図である。
ローディング機構は、シャーシフレーム１に固定されるガイドフレーム１２、矢印Ａ１・Ａ２方向に摺動可能な摺動カム板１３、ディスクカートリッジを保持し、矢印Ａ１・Ａ２方向及び矢印Ｄ１・Ｄ２方向に移動可能なホルダー１４、そして、モータ２２、モータ２２の駆動軸２３の端部に固定された手動用イジェクトロッド２１、モータの回転をカム板１３の往復運動に変換し、伝達するギア列２０等から構成されている。
【００１０】
ギア列２０は、モータ２２の駆動軸２３に固定されたウォームギア２４と歯合するウォームホイール２５、ウォームホイール２５と同軸に固定されているピニオンギア２６及び摺動カム板１３の底板１３１にビス１６によって固定されるラックギア２７から構成されている。
摺動カム板１３の側板１３２にはカム溝１３３が設けられており、ホルダー１４の外側面に固定されているカムフォロワ１４１がカム溝１３３に挿入され、さらに、ガイドフレーム１２に形成されたガイド溝１１２に摺動自在に挿入されている。ガイド溝１１２は、ディスクカートリッジ挿入方向に延び、さらに、挿入されたディスク面と直交する方向に所定量延びた、ほぼＬ字形状となっている。
【００１１】
ディスクカートリッジの挿入時には、モータ２２の駆動軸２３を矢線Ｂ１方向に回転させることにより、ウォームホイール２５及びピニオンギア２６を矢線Ｃ１方向に回転させ、ラックギア２７及び摺動カム板１３を矢印Ａ１方向に移動する。ディスクカートリッジを保持したホルダー１４は、ガイド溝１１２に沿ってまずＡ１方向に移動し、次いで矢線Ｄ１方向に移動して、ディスクカートリッジは前記ロード位置に装着される。
【００１２】
ディスクカートリッジの排出時には、ディスクカートリッジがロード位置にあるとき、イジェクトスイッチ６を押すと、モータ２２の駆動軸２３を矢線Ｂ２方向に回転させることにより、ウォームホイール２５及びピニオンギア２６を矢線Ｃ２方向に回転させ、ラックギア２７及び摺動カム板１３を矢印Ａ２方向に移動させる。ホルダー１４はまず矢印Ｄ２方向に、次いで矢印Ａ２方向に移動し、ディスクカートリッジはその端部が挿入口４から所定量突出した、取り出し位置に移動する。
【００１３】
故障時又は停電時等、モータ２２が作動しない場合は、イジェクトロッド２１を操作して、手動によりディスクカートリッジを排出させることができる。イジェクトロッド２１は、一方の端部にウォームギア２４が固定されたモータ２２の駆動軸２３の他方の端部（シャーシ前面１ａ側端部）に固定されている。イジェクトロッド２１を矢印Ｂ２方向に回転させることにより、駆動軸２３を介してウォームギア２４を矢印Ｂ２方向に回転させ、モータ駆動による排出の際と同様にして、ディスクカートリッジを取り出し位置に移動させることができる。
【００１４】
図３はイジェクトロッド２１の近傍の部分断面図である。
図３（ａ）に示すように、シャーシフレーム１にはイジェクトロッド２１に対向する位置に、イジェクトスクリュー３を支持する支持孔１１が形成されている。イジェクトスクリュー３は、イジェクトロッド２１と同軸位置に配置され、イジェクトスクリュー３のイジェクトロッド２１に対向する部分には雌ネジ部３ａが形成されており、イジェクトロッド２１の、イジェクトスクリュー３に対向する部分には雌ネジ部３ａと係合する雄ネジ部２１ａが形成されている。また、イジェクトスクリュー３とシャーシフレーム１の操作孔１１はすべり対偶を構成している。
【００１５】
故障時、又は停電時にディスクドライブを取り出す時は、フロントベゼル２の操作孔８から回転用工具を挿入し、イジェクトスクリュー３を回転させる。イジェクトスクリュー３の雌ねじ部３ａとイジェクトロッド２１の雄ねじ部２１ａは、イジェクトスクリュー３を図３（ｂ）の矢印の方向に回転させた時に締結するように形成されている。従って、イジェクトスクリュー３を図３（ｂ）の矢印の方向に回転させると、イジェクトスクリュー３の雌ねじ部３ａがイジェクトロッド２１の雄ねじ部２１ａと係合し、イジェクトスクリュー３とイジェクトロッド２１が締結され、イジェクトスクリュー３をさらに同方向に回転させるとイジェクトロッド２１が回転し、ローディング機構が駆動されて、ディスクカートリッジが排出される。
一方、イジェクトスクリュー３を図中の矢印と逆方向に回転させた場合にはイジェクトスクリュー３の雌ねじ３ａとイジェクトロッド２１の雄ねじ２１ａは係合しないので、イジェクトスクリュー３とイジェクトロッド２１は締結されず、イジェクトスクリュー３の回転力はイジェクトロッド２１には伝達されない。
従ってイジェクトロッド２１はディスクカートリッジを取り出す方向にのみ回動可能であり、ディスクカートリッジを挿入する方向には回動されないため、誤操作によるローディング機構の部品の破損を確実に防止できる。
【００１６】
図４は本発明の第２の実施例のイジェクトロッド１２１近傍の部分断面図である。
図４（ａ）に示すように、第２実施例の構成は第１実施例と比較して、イジェクトスクリュー１０３に雄ネジ部１０３ａが形成されており、イジェクトロッド２１に雌ネジ部１２１ａが形成されている点のみが異なり、他は同様の構成である。
第２実施例においても第１実施例と同様、イジェクトスクリュー１０３を図４（ｂ）の矢印の方向に回転させると、イジェクトスクリュー１０３の雄ねじ１０３ａとイジェクトロッド１２１の雌ねじ１２１ａが係合し、イジェクトスクリュー１０３とイジェクトロッド１２１が締結される。イジェクトスクリュー１０３をさらに同方向に回転させるとイジェクトロッド１２１が回転し、ローディング機構をディスクカートリッジを取り出す方向に駆動する。イジェクトスクリュー１０３を逆方向に回転させた場合には、イジェクトスクリュー１０３の雄ねじ１０３ａとイジェクトロッド１２１の雌ねじ１２１ａは係合しないので、イジェクトスクリュー１０３とイジェクトロッド１２１は締結されず、イジェクトスクリュー１０３の回転力はイジェクトロッド１２１には伝達されない。
【００１７】
図５は本発明の第３実施例のイジェクトスクリュー３近傍の部分断面図である。
図５（ａ）に示すように、本実施例では第１実施例と同様の構造に加え、イジェクトスクリュー３の頭部３ｂとシャーシフレーム１との間にバネ１０を設け、イジェクトスクリュー３をフロントベゼル側（イジェクトロッド２１と離れる方向）に付勢している。したがって、図５（ｂ）に示されるように、イジェクトスクリュー３を回動操作する際に、イジェクトロッド２１側に押圧しつつ、所定方向に回動させない限り、イジェクトスクリュー３とイジェクトロッド２１は締結しない。
【００１８】
図６は本発明の第４実施例のイジェクトスクリュー１０３近傍の部分断面図である。
図６（ａ）に示すように、本実施例では第２実施例の構造に加え、イジェクトスクリュー１０３とシャーシフレーム１のとの間にバネ１０を設け、イジェクトスクリュー１０３をフロントベゼル側（イジェクトロッド２１と離れる方向）に付勢している。したがって、図６（ｂ）に示されるように、イジェクトスクリュー１０３をイジェクトロッド１２１側に押圧しつつ、かつ所定方向に回動させない限り、イジェクトスクリュー１０３とイジェクトロッド１２１は締結しない。
【００１９】
【発明の効果】
以上説明したように、本発明によれば、イジェクトロッドを回動操作するためのイジェクトスクリューを設けたことにより、ディスクカートリッジの手動取り出し時に、イジェクトロッドは、ディスクカートリッジを取り出す方向にのみ回転可能となり、挿入方向には回転しないため、誤操作によるモータの破損を防止できる。
さらに、シャーシフレームの操作孔とイジェクトスクリューがすべり対偶しているため、装置内部にシャーシフレームの孔を通じて塵が侵入するのを防ぐことができる。
また、防塵のためフロントベゼルとシャーシフレームの操作孔に蓋を設けた装置に比べ、装置の構造が簡単になる上、蓋の紛失のおそれもなくなる。
【図面の簡単な説明】
【図１】本発明の実施例を示す斜視図である。
【図２】本発明の実施例を示す分解斜視図である。
【図３】本発明の第１の実施例を示す部分断面図である。
【図４】本発明の第２の実施例を示す部分断面図である。
【図５】本発明の第３の実施例を示す部分断面図である。
【図６】本発明の第４の実施例を示す部分断面図である。
【符号の説明】
１                          シャーシフレーム
２                          フロントベゼル
３                          イジェクトスクリュー
３ａ                    係合部
３ｂ                    閉塞部
４                          挿入口
５                          挿入口
８                          開口
１０                          バネ
１１                          操作孔
１１ａ                    係合部
１２                          ガイドフレーム
１２１                      ガイド溝
１３                          摺動カム板
１３１                      底板
１３２                      側板
１４                          ホルダー
１４１                      ガイドピン
２０                          ギア列
２１                          イジェクトロッド
２２                          モータ
２３                          モータの駆動軸
２４                          ウォームギア
２５                          ウォームホイール
２６                          ピニオンギア
２７                          ラックギア
１０３                          イジェクトスクリュー
１０３ａ                      係合部
１０３ｂ                      閉塞部
１２１                          イジェクトロッド
【図１】
0003619268.tif 000002
【図２】
0003619268.tif 000003
【図３】
0003619268.tif 000004
【図４】
0003619268.tif 000005
【図５】
0003619268.tif 000006
【図６】
0003619268.tif 000007